(57)【要約】本発明は、通信端末の状態に応じて、コンテンツのアドレス情報等を適時に通信端末に送信する技術を開示する。その方法の１つとして、通信端末の状態を管理する端末状態管理サーバを設けて、端末状態管理サーバが通信端末の状態と、コンテンツ情報データベースに記録された状態とが一致したことを検出し、状態の一致時に通信端末に対して該コンテンツのアドレス情報又はデータ情報を送信する。コンテンツ情報データベースには、通信端末の状態と、コンテンツのアドレス情報又はデータ情報とを対応づけて記録しておく。本構成によって、ユーザが閲覧するのに適したコンテンツのアドレス情報が自動的に送信される。ユーザは一度登録したアドレス情報を、見落とすことなく閲覧することができ、情報の有効な活用を図ることができる。【特許請求の範囲】
【請求項１】
通信端末の状態を管理可能な端末状態管理サーバが、ネットワーク上のコンテンツサーバに記録されたコンテンツのアドレス情報又はデータ情報を、該通信端末の状態に応じて自動的に通信端末に提供するコンテンツ情報提供システムであって、
端末状態管理サーバが、
通信端末の状態を取得する状態取得手段と、
該通信端末の状態とコンテンツサーバに記録されたコンテンツのアドレス情報又はデータ情報とを対応づけて記録するコンテンツ情報データベースと、
該状態取得手段で取得された通信端末の状態が該コンテンツ情報データベースに記録された通信端末の状態と一致したことを検出する状態一致検出手段と、
状態の一致時に通信端末に対して該コンテンツのアドレス情報又はデータ情報を送信するコンテンツ情報送信手段と
を少なくとも備え、
コンテンツサーバが、
提供するコンテンツのデータ情報を記録する記録手段
を少なくとも備え、
通信端末が、
該端末状況管理サーバからのアドレス情報又はデータ情報とコンテンツサーバからのデータ情報とを受信する受信手段と、
該アドレス情報に基づいてアドレス情報コンテンツサーバから該データ情報を取得し、若しくは受信したデータ情報を表示又は再生する表示再生手段と
を少なくとも備え、
該通信端末と、端末状態管理サーバと、コンテンツサーバとがネットワークにより互いに接続される
ことを特徴とするコンテンツ情報提供システム。
【請求項２】
前記コンテンツ情報提供システムの通信端末が、
任意の時点において表示再生中のデータ情報又はそのアドレス情報を端末状態管理サーバに送信するアドレス情報送信手段を少なくとも備え、
前記端末状態管理サーバが、
受信したデータ情報又はアドレス情報とその時点における通信端末の状態とをコンテンツ情報データベースに記録する
請求項１に記載のコンテンツ情報提供システム。
【請求項３】
前記コンテンツ情報提供システムの端末状態管理サーバが、
前記通信端末の状態を、通信端末に備えた位置検出手段からネットワークを介して取得する
請求項２に記載のコンテンツ情報提供システム。
【請求項４】
前記コンテンツ情報提供システムの端末状態管理サーバが、
前記通信端末の状態を、少なくともネットワークで通信可能な複数のセンサ手段により通信端末の位置を検出して取得する
請求項２に記載のコンテンツ情報提供システム。
【請求項５】
通信端末の状態を管理可能な端末状態管理サーバが、ネットワーク上のコンテンツサーバに記録されたコンテンツのアドレス情報又はデータ情報を、該通信端末の状態に応じて自動的に通信端末に提供する構成であって、
通信端末の状態を取得する状態取得手段と、
該通信端末の状態とコンテンツサーバに記録されたコンテンツのアドレス情報又はデータ情報とを対応づけて記録するコンテンツ情報データベースと、
該状態取得手段で取得された通信端末の状態が該コンテンツ情報データベースに記録された通信端末の状態と一致したことを検出する状態一致検出手段と、
状態の一致時に通信端末に対して該コンテンツのアドレス情報を送信するコンテンツ情報送信手段と
を少なくとも備えたことを特徴とする端末状態管理サーバ。
【請求項６】
前記端末状態管理サーバが、
前記通信端末の状態を、通信端末に備えた位置検出手段からネットワークを介して取得する
請求項５に記載の端末状態管理サーバ。
【請求項７】
前記端末状態管理サーバが、
前記通信端末の状態を、少なくともネットワークで通信可能な複数のセンサ手段により通信端末の位置を検出して取得する
請求項５に記載の端末状態管理サーバ。
【請求項８】
通信端末の状態を管理可能する端末状態管理部が、ネットワーク上のコンテンツサーバに記録されたコンテンツのアドレス情報又はデータ情報を、該通信端末の状態に応じて自動的に表示するコンテンツ情報表示通信端末であって、
該コンテンツ情報表示通信端末が、
該端末状態管理部と、
該コンテンツサーバからのデータ情報を受信する受信手段と、
該アドレス情報に基づいてアドレス情報コンテンツサーバから該データ情報を取得し、若しくは受信したデータ情報を表示又は再生する表示再生手段と、
を備える構成において、
端末状態管理部が、
通信端末の状態を取得する状態取得手段と、
該通信端末の状態とコンテンツサーバに記録されたコンテンツのアドレス情報又はデータ情報とを対応づけて記録するコンテンツ情報データベースと、
該状態取得手段で取得された通信端末の状態が該コンテンツ情報データベースに記録された通信端末の状態と一致したことを検出する状態一致検出手段と、
状態の一致時に通信端末に対して該コンテンツのアドレス情報又はデータ情報を送信するコンテンツ情報送信手段と
を少なくとも有する
ことを特徴とするコンテンツ情報表示通信端末。
【請求項９】
前記コンテンツ情報表示通信端末の端末状態管理部が、
アドレス情報入力手段を備え、
該アドレス情報入力手段からアドレス情報が入力されたときに、該アドレス情報とその時点における通信端末の状態とをコンテンツ情報データベースに記録する
請求項８に記載のコンテンツ情報表示通信端末。
【請求項１０】
前記コンテンツ情報表示通信端末の端末状態管理部において、
前記通信端末の状態取得手段が、通信端末に備えた単数又は複数の位置検出手段である
請求項９に記載のコンテンツ情報表示通信端末。
【発明の詳細な説明】
【技術分野】
【０００１】
本発明は、通信端末でネットワーク上のコンテンツを表示又は再生する際に、通信端末にコンテンツ情報を提供するコンテンツ情報提供システムとそれに用いる端末情報管理サーバに関する。
【背景技術】
【０００２】
インターネット等のネットワークを通じた情報の収集は日常生活において欠かせないものとなっている。多くの場合、ＨＴＭＬ形式でサーバ上に記録された情報に対して、ウェブブラウザを用いてアクセスし、モニタ上に表示している。このときに情報の場所を指示するためにＵＲＬ（Uniform Resource Locator）が用いられており、ＵＲＬを入力することで世界中のあらゆるデータにアクセスすることができる。【０００３】
反復して同じページを閲覧する際に、いちいちＵＲＬを入力することは面倒であるし、複雑なＵＲＬでは覚えることも難しい。そこで、ほとんど全てのウェブブラウザにはＵＲＬを一覧形式で登録し、次に閲覧する際には一覧から選ぶだけでアクセスできる機能が搭載されている。「ブックマーク」や「お気に入り」と呼ばれている機能である。【０００４】
しかし、インターネットにおける情報量が膨大になればなるほど、一覧に登録するＵＲＬの数が多くなり、一覧から選ぶ作業が煩雑になったり、何を登録していたかが分からなく問題がある。
このため、必要な時に必要な情報をウェブブラウザ上に表示させることができず、情報を十分に活かすことができていない。【０００５】
ところで、情報を閲覧する通信端末は、従来のパーソナルコンピュータを中心とした固定型の端末装置から、近年では携帯電話や携帯型情報端末など、常時携行して通信をおこなう端末装置に広がっている。このように携行可能な端末装置では、随時現在の状況に応じて最新の情報にアクセスすることが望まれる。そのためには、状況を判断して自動的に提示するようなシステムが最適であるが、ウェブで参照可能なあらゆる情報を対象とするものは従来提供されていない。【０００６】
通信端末の状況を知る方法として公知のものに、携帯電話の位置検出方法がある。携帯電話がユーザに携行されることを考えると、携帯電話の位置はユーザの位置であり、ユーザが何を行っているかなどを推定する最も重要な情報である。
このような位置検出方法はすでに実用化されており、例えばＧＰＳによる位置検出機能、赤外線やBluetooth（登録商標）を用いた近距離通信機能、ＩＣカードのタグ機能など、実空間内の情報を取得したり、物理的に近いもの情報を検出したりすることを可能とする機能が備わってきた。【０００７】
公知の特許文献としては、特許文献１にはＧＰＳを用いて携帯電話端末の測位機能を実現する構成が開示されており、ＧＰＳサーバで補助データを受信する技術も開示されている。
また特許文献２には、移動機の位置情報を管理可能な位置情報センタを設ける構成が開示されている。特許文献３に開示される技術はメッセージの通知も可能なものである。【０００８】
【特許文献１】特許第３６４００８４号
【特許文献２】特許第３０３９５３６号
【特許文献３】特許第３０３７２８６号
【０００９】
これらを有効に活用することで、ユーザの様々な状況（コンテキスト）を取得することが可能となる。しかし、これまでのアプリケーションとしては、ユーザの位置そのものを知ることを目的としたナビゲーション機能や、単なる通信機能だけを用いた電子マネー機能等に留まっている。
また、実世界の物理的情報とサイバー空間（携帯電話メモリ内やサーバデータベース等）のデータを紐付けした利便性の高いサービスを実現する技術はまだ無い。【００１０】
これを企図したものとして、特許文献４の技術は、ブラウザ機能を備えた携帯端末において、自機が取得した位置の情報を利用して状況に適した形でＵＲＬを表示できるようにした技術である。
しかし、本技術はあくまでも端末自体が位置を取得する機能を有しなければならず、位置の取得方法はＧＰＳ等に限定される。また、ＵＲＬと位置との関係に係る情報をすべて端末側で保持する必要があるため高い処理能力が要求される。【００１１】
【特許文献４】特開2004-272329号公報
【発明の開示】
【発明が解決しようとする課題】
【００１２】
本発明は上記の従来技術における問題点を解消するものであり、位置情報などの通信端末の状態に応じ、コンテンツのアドレス情報やデータ情報を適時に通信端末に送信するコンテンツ情報提供システムを提供することを目的とする。
【課題を解決するための手段】
【００１３】
上記課題を解決するため、本発明では次のようなコンテンツ情報提供システムを提供する。
すなわち、請求項１に記載の発明によれば、通信端末の状態を管理可能な端末状態管理サーバが、ネットワーク上のコンテンツサーバに記録されたコンテンツのアドレス情報又はデータ情報を、該通信端末の状態に応じて自動的に通信端末に提供するコンテンツ情報提供システムを提供する。
該システムの端末状態管理サーバは、通信端末の状態を取得する状態取得手段と、通信端末の状態とコンテンツサーバに記録されたコンテンツのアドレス情報又はデータ情報とを対応づけて記録するコンテンツ情報データベースと、状態取得手段で取得された通信端末の状態が該コンテンツ情報データベースに記録された状態と一致したことを検出する状態一致検出手段と、状態の一致時に通信端末に対して該コンテンツのアドレス情報又はデータ情報を送信するコンテンツ情報送信手段とを少なくとも備える。【００１４】
該システムのコンテンツサーバは、提供するコンテンツのデータ情報を記録する記録手段を少なくとも備えると共に、同システムの通信端末は、端末状況管理サーバからのアドレス情報又はデータ情報とコンテンツサーバからのデータ情報とを受信する受信手段と、アドレス情報に基づいてアドレス情報コンテンツサーバから該データ情報を取得し、若しくは受信したデータ情報を表示又は再生する表示再生手段とを少なくとも備える。
そして、これらの通信端末と、端末状態管理サーバと、コンテンツサーバとがネットワークで互いに接続されて本発明のコンテンツ情報提供システムは構成されている。【００１５】
請求項２に記載の本システムの通信端末は、任意の時点において表示再生中のデータ情報又はそのアドレス情報を端末状態管理サーバに送信するアドレス情報送信手段を少なくとも備えると共に、端末状態管理サーバは、受信したデータ情報又はアドレス情報とその時点における通信端末の状態とをコンテンツ情報データベースに記録することを特徴とする。【００１６】
請求項３に係る発明は、コンテンツ情報提供システムの端末状態管理サーバが、前記通信端末の状態を、通信端末に備えた位置検出手段からネットワークを介して取得することを特徴とするものである。【００１７】
請求項４に係る発明は、上記のコンテンツ情報提供システムの端末状態管理サーバが、通信端末の状態を、少なくともネットワークで通信可能な複数のセンサ手段により通信端末の位置を検出して取得することを特徴とするものである。【００１８】
本発明は、以上のコンテンツ情報提供システムに加えて、通信端末の状態を管理可能な端末状態管理サーバを提供する。
すなわち、請求項５に記載の発明は、ネットワーク上のコンテンツサーバに記録されたコンテンツのアドレス情報又はデータ情報を、該通信端末の状態に応じて自動的に通信端末に提供する構成であって、通信端末の状態を取得する状態取得手段と、通信端末の状態とコンテンツサーバに記録されたコンテンツのアドレス情報又はデータ情報とを対応づけて記録するコンテンツ情報データベースと、状態取得手段で取得された通信端末の状態が該コンテンツ情報データベースに記録された状態と一致したことを検出する状態一致検出手段と、状態の一致時に通信端末に対して該コンテンツのアドレス情報又はデータ情報を送信するコンテンツ情報送信手段とを少なくとも備える。【００１９】
請求項６に記載の発明は、上記の端末状態管理サーバが、通信端末の状態を通信端末に備えた位置検出手段からネットワークを介して取得することを特徴とするものである。【００２０】
請求項７に記載の発明は、上記の端末状態管理サーバが、通信端末の状態を、少なくともネットワークで通信可能な複数のセンサ手段により通信端末の位置を検出して取得することを特徴とするものである。【００２１】
本発明は、通信端末の状態を管理可能する端末状態管理部が、ネットワーク上のコンテンツサーバに記録されたコンテンツのアドレス情報又はデータ情報を、該通信端末の状態に応じて自動的に表示するコンテンツ情報表示通信端末を提供することもできる。
すなわち、請求項８に記載のコンテンツ情報表示通信端末は、端末状態管理部と、コンテンツサーバからのデータ情報を受信する受信手段と、アドレス情報に基づいてアドレス情報コンテンツサーバから該データ情報を取得し、若しくは受信したデータ情報を表示又は再生する表示再生手段とを備える。【００２２】
そして、端末状態管理部が、通信端末の状態を取得する状態取得手段と、該通信端末の状態とコンテンツサーバに記録されたコンテンツのアドレス情報又はデータ情報とを対応づけて記録するコンテンツ情報データベースと、該状態取得手段で取得された通信端末の状態が該コンテンツ情報データベースに記録された通信端末の状態と一致したことを検出する状態一致検出手段と、状態の一致時に通信端末に対して該コンテンツのアドレス情報又はデータ情報を送信するコンテンツ情報送信手段とを少なくとも有するものである。【００２３】
また、請求項９に記載の発明は、コンテンツ情報表示通信端末の端末状態管理部が、アドレス情報入力手段を備え、該アドレス情報入力手段からアドレス情報が入力されたときに、該アドレス情報とその時点における通信端末の状態とをコンテンツ情報データベースに記録することを特徴とする。【００２４】
請求項１０に記載の発明は、コンテンツ情報表示通信端末の端末状態管理部において、通信端末の状態取得手段が、通信端末に備えた単数又は複数の位置検出手段であることを特徴とする。
【発明の効果】
【００２５】
以上の発明により次の効果を奏する。
すなわち、本システムによれば通信端末の状態に応じて、ユーザが閲覧するのに適したコンテンツのアドレス情報が自動的に送信される。これにより、ユーザは一度登録したアドレス情報を、見落とすことなく閲覧することができ、情報の有効な活用を図ることができる。また、必要のない情報が提示されないので、一覧に多数のアドレス情報を登録しても、選択に迷うことなく効率的に閲覧することができる。【００２６】
特に、本システムの端末状態管理サーバが、通信端末の状態を取得し管理すると共に、コンテンツサーバに記録されたコンテンツのアドレス情報又はデータ情報を対応づけて記録しておくので、通信端末側で過大な処理を必要とせず、高速なブラウザ操作が可能である。
しかも、端末状態管理サーバで一括して状態を取得するので、通信端末では取得できない情報を利用することもできる。
【図面の簡単な説明】
【００２７】
【図１】本発明に係るコンテンツ情報提供システムの全体構成図。
【図２】本発明に係る端末状態管理サーバの構成図。
【図３】本発明に係る通信端末の構成図。
【図４】本発明に係るコンテンツ情報表示通信端末の構成図。
【図５】本発明の別実施例の通信システムの全体構成図。
【図６】本発明に係るネットワークサーバの構成図。
【図７】本発明に係るモバイル端末の構成図。
【図８】本発明に係るモバイルＰＣの構成図。
【図９】本発明に係る位置情報サーバシステムの全体構成図。
【符号の説明】
【００２８】
１：コンテンツ情報提供システム、２：インターネット、３：携帯電話、４：携帯型情報端末、１０：端末状態管理サーバ、２０：コンテンツサーバ
【発明を実施するための最良の形態】
【００２９】
以下、本発明の実施形態を図面に示しながら説述する。なお、本発明の実施においては、以下に限定されることなく、任意に変形、応用等を行うことが可能である。
図１は本発明のコンテンツ情報提供システムの全体構成図である。図示するように、本システム（１）は端末状態管理サーバ（１０）、コンテンツサーバ（２０）がインターネット（２）と接続され、通信端末である携帯電話（３）や携帯型情報端末（４）がインターネットを通してコンテンツサーバ（２０）に接続できるようになっている。【００３０】
例えばウェブ閲覧の場合、従来は携帯電話（３）等からウェブサーバであるコンテンツサーバ（２０）にアクセスし、ＨＴＭＬ形式のコンテンツデータを受信して表示していた。そして、各端末には反復して閲覧する際に用いるコンテンツのアドレス情報（ＵＲＬ）の一覧を登録しており、ユーザはその一覧から所望のコンテンツにアクセスできるようになっていた。【００３１】
本発明では、上記に加えて端末状態管理サーバ（１０）を設けて、通信端末の状態を取得及び管理し、その状態に応じた最適なアドレス情報を提供することができる。図２は端末状態管理サーバの構成図である。
該サーバ（１０）は、公知のパーソナルコンピュータによって実現されるサーバ装置であり、よく知られているようにＣＰＵ（１１）と、ハードディスク（１５）、ネットワークと接続するネットワークアダプタ（１６）の他、図示しないキーボード、モニタ、メモリなどの各ハードウェアが協働している。【００３２】
本発明では、端末情報管理の最小限の構成としてＣＰＵで動作する状態取得部（１２）、状態一致検出部（１３）、コンテンツ情報送信部（１４）がそれぞれ設けられる。
また、ハードディスク内には、通信端末の状態と、アドレス情報とが対応づけられて記録されているコンテンツ情報データベース（１５）を記憶している。【００３３】
また、通信端末の構成を図３に示す。本発明の通信端末としては、主に携帯電話端末やＰＨＳ端末、ＰＤＡなどと呼ばれる携帯型情報端末が想定されるが、一般的なパーソナルコンピュータ等でもよい。
該通信端末（３）では、受信部（３２）や表示再生部（３３）を備えたＣＰＵ（３１）の他、ネットワークアダプタ（３５）、表示装置（３６）を最低限備えている。【００３４】
そして、端末状態管理サーバ（１０）において、一定の周期で、あるいは所定の契機で通信端末の状態を状態取得部（１２）が取得する。このときの状態とは、主として通信端末の位置情報であるが、本発明ではその他に端末上で実行しているアプリケーションや、再生している音楽、表示している画像など、端末に係るあらゆる状態を含む概念である。【００３５】
そして、これらの状態と通信端末で表示又は再生するコンテンツのアドレス情報とを対応づけたデータベース（１５）を有している。該データベース（１５）には、例えば通信端末の緯度・経度や、無線ＬＡＮのＳＳＩＤ、ＲＦタグなどの位置情報と、その際のＵＲＬ情報が対応づけて登録されている。１基の端末状態管理サーバ（１０）は複数の通信端末の状態管理を行うので、データベース（１５）にも端末ごとに情報が記録される。その１例を表１に示す。【００３６】
【表１】
2007007385.tif 000002
【００３７】
状態取得部（１２）の取得した状態と、該データベース（１５）に記載された事項が一致した場合、例えば端末１の通信端末で、無線ＬＡＮのアクセスポイントのエリアに入ったことを状態取得部（１２）が検知し、そのときのＳＳＩＤがＡＢＣであったとき、状態一致検出部（１３）がその一致を検出する。そして、ＵＲＬとして、http://www.○○.com/を抽出する。【００３８】
その結果として、本サーバ（１０）はコンテンツ情報送信部（１４）から該ＵＲＬをネットワークアダプタ（１６）、インターネット（２）を介して移動端末（３）に送信する。【００３９】
移動端末（３）では、ネットワークアダプタ（３５）を介して受信部（３２）がこの情報を受け取り、表示再生部（３３）に受け渡す。
表示再生部（３３）は例えばウェブブラウザとして構成され、表示装置（３６）において受信したＵＲＬのコンテンツを表示する。このときコンテンツはインターネット（２）を介してコンテンツサーバ（２０）から取得するが、この処理については周知の事項であるから説明は省略する。【００４０】
なお、表示再生部（３３）では必ずしもコンテンツそのものを表示せず、例えばアドレス一覧の表示欄に、当該アドレス情報を表示してユーザに提示するだけでもよい。この場合には、ユーザが一覧から該コンテンツを指定して初めてコンテンツサーバ（２０）からコンテンツ情報を取得することになる。【００４１】
以上の処理によると、通信端末がコンテンツ情報データベース（１５）に記載された状態に入ると、最適なＵＲＬを送信し、ユーザが該当するコンテンツ情報を容易に閲覧することができるようになる。コンテンツとしてはＨＴＭＬ形式のウェブコンテンツの他、音声や映像コンテンツでもよく、これらの蓄積されたコンテンツサーバ（２０）のアドレス情報によって特定できる情報ならばいかなる形式のファイルでもよい。【００４２】
次に、コンテンツ情報データベースの形成方法について説述する。
本発明のコンテンツ情報データベース（１５）は、予め所定のデータを登録しておいてもよいが、本発明の好適な実施形態としては通信端末からユーザが指定する方法がある。
すなわち、通信端末の入力ボタン（３７）を用い、表示再生部（３３）で閲覧しているコンテンツを指定すると、そのコンテンツのアドレス情報を、アドレス情報送信部（３４）がインターネット（２）を通じて端末状態管理サーバ（１０）に送信する。【００４３】
これを受信したサーバ（１０）は、そのときの端末の状態を状態取得部（１２）で取得し、該アドレス情報と共にコンテンツ情報データベース（１５）に記録する。本処理によれば、ユーザは入力ボタン（３７）で単にコンテンツを指定するだけで、その時のアドレス情報及び端末状態がデータベース（１５）に登録される。
ここで登録されるのはアドレス情報であるから、コンテンツが書き換えられたときでも常に最新の情報が閲覧できることになる。【００４４】
なお、本発明ではコンテンツ情報データベースに通信端末の状態とコンテンツサーバに記録されたコンテンツのアドレス情報又はデータ情報とを対応づけて記録することができるため、アドレス情報と共に、あるいはアドレス情報に代えてコンテンツのデータ情報そのものを登録してもよい。その場合には、アドレス情報を送信する代わりに通信端末にコンテンツのデータ情報そのものが送信されるため、直接コンテンツを表示再生部（３３）が表示できる。【００４５】
状態取得部（１２）につきさらに付言すると、本発明では状態取得部（１２）にネットワークを介し、あるいは直接に様々なセンサ手段を接続して通信玉津の情報を取得することができる。
例えば、たくさんのＲＦタグ受信機や床センサ、ブルートゥース受信機などによってユーザや通信端末の位置を取得することができる。あるいは無線ＬＡＮのＳＳＩＤのように、通信端末と通信している無線ＬＡＮのアクセスポイントのＳＳＩＤをネットワークアダプタ（１６）を通して取得し、これにより通信端末がどのような場所にあるかを特定することもできる。【００４６】
さらに、通信端末に位置検出部（３８）を設け、検出された位置情報をネットワークを通して該状態取得部（１２）に送信してもよい。もっとも簡便な方法はＧＰＳ受信機や、方角センサなどのセンサ手段を位置検出部（３８）に設け、自機の位置に係る情報を取得する。このようなセンサ手段は端末本体に付属していなければ測定ができないものであるから、本構成により多様な位置検出方法を実現することができる。
状態として実行中のアプリケーションなどを検出する場合には、ＣＰＵ（３１）内の図示しない検出部が同様に状態を検出し、ネットワークを通して状態取得部（１２）に送信する。【００４７】
本発明の第２の実施形態としては、図４に示すように、上記のサーバ機能を含んで一体的に構成したコンテンツ情報表示通信端末（４０）を提供することもできる。
名称が同一なものについての作用は上記と同一であるが、全体の構成を説明すると、本端末（４０）には各処理を司るＣＰＵ（４１）において、ネットワークアダプタ（３５）を介してコンテンツサーバからコンテンツのデータ情報を取得する受信部（４４）と、データ情報の表示再生やアドレス表示などを行う表示再生部（４５）が設けられる。表示再生部（４５）の制御により表示装置（３６）やスピーカ等から表示又は再生が行われる。【００４８】
そして、該端末（４０）の位置検出部（３８）が端末の位置を検出して、状態取得部（４２）が位置を取得すると、状態一致検出部（４３）がコンテンツ情報データベース（４７）に登録されている端末の状態と、該位置とを比較し、一致するときには表示再生部（４５）から登録されているアドレス情報やデータ情報を表示する。ユーザはデータ情報を直接確認してもよいし、アドレス情報だけが提示された時には入力ボタン（３７）からコンテンツを指定することでデータ情報を取得し、表示再生させることができる。【００４９】
位置検出部は、ＧＰＳ受信機などの他、上述したタグ等でもよく、例えばあるタグを検出した際に、コンテンツ情報データベース（４７）に登録された当該タグに対応するコンテンツを表示する構成でもよい。【００５０】
このときのコンテンツ情報データベース（４７）への登録は、入力ボタン（３７）によってユーザが直接アドレス情報又はデータ情報を入力してもよいし、現在表示再生部（４５）で表示再生中のコンテンツに係るアドレス情報又はデータ情報を自動的に取得して登録してもよい。【００５１】
さらに、状態取得部は、位置情報の他に該端末（４０）にかかるあらゆる状態を取得することができる。例えば、位置を取得すると共に、別に時刻を取得できる時刻カウント部を備えておき、該時刻カウント部から現在の時刻を得ると共に、コンテンツ情報データベースには位置情報と時間帯等の時刻情報を登録しておくことで、時間帯に合わせてアドレス情報やデータ情報を表示再生させることができる。【００５２】
位置検出部（３８）にはＧＰＳ受信機や特定のタグ受信機・タグを１個設ける他、複数の検出手段を設けることができる。このとき、状態取得部（４２）は全ての情報を状態一致検出部（４３）に渡してもよいし、例えば最も精度の高い情報を選択して渡してもよい。
本発明は位置の検出を目的としたものに限らず、あらゆる状態を検出する手段を設けることができるので、例えば温度計やマイク、その他のセンサなどでもよい。【００５３】
本発明の第３の実施形態は、ネットワークを用いる第１の実施形態を変形したものであり、上記のようにインターネット（２）の他に、図５のようにインターネットと３Ｇ携帯電話網を組み合わせた通信システムに実装してもよい。
以下、このシステムについて説述する。【００５４】
ネットワークサーバ（１１０）は有線ＬＡＮによりネットワークに接続される。モバイル端末（１２０）から基本アクセスネットワークで接続されるシグナリング通信と、ＳＩＰ中継処理とを主に司る。
また、モバイル端末（１２０）からの位置取得要求があった場合には、無線ＬＡＮアクセスポイントの情報から各モバイル端末（１２０）の位置を特定し、提供する。
同時に該サーバのハードディスクにはデータベースを備えて、ユーザ情報、モバイル端末（１２０）情報、アクセス権情報などを保持している。【００５５】
モバイル端末（１２０）は、ユーザが１人につき１台のみ常時携行することを想定した端末装置である。現在、携帯電話が普及しており、本発明では携帯電話に本機能を実装するのが好適である。
モバイル端末（１２０）は例えば３Ｇや無線ＬＡＮにてネットワークサーバ（１１０）と基本アクセスネットワークを構成して常時接続する。【００５６】
モバイルＰＣ（１３０）は、モバイル端末（１２０）１台に対して同時に１台のみ対応するノートパソコンなどで構成される。本発明では通信システムとして少なくとも無線通信システムを含み、無線ＬＡＮデバイスや基本アクセスネットワークとは異なるＰＨＳ網などの通信手段を備えている。同時に、有線ＬＡＮを有して、利用可能な場合にはアクセスネットワークとして有線ＬＡＮを用いてもよい。
さらに、ブルートゥースや無線ＬＡＮなど、モバイル端末との通信経路を有する。これにより、シグナリング通信は該通信経路を介して行われる。【００５７】
モバイルＰＣ（１３０）はユーザと共に移動することが前提とされており、上記モバイル端末の位置がモバイルＰＣの位置として扱われる。そのためモバイル端末と接続していない間は、一切のシグナリング通信が行えないため、本発明による無線通信は動作しない。【００５８】
以下、通信システム（１００）における各ノードの動作を詳述する。図６〜図８はそれぞれ本発明に係るネットワークサーバ（１１０）、モバイル端末（１２０）、モバイルＰＣ（１３０）の構成図である。
ネットワークサーバ（１１０）には、ユーザ情報、ユーザ情報及び基本アクセスネットワーク端末に係るデバイス情報を有する管理情報データベース（１１１）と、基本アクセスネットワークの通信処理を行うための基本アクセスネットワークサーバ処理部（１１２）とを備えている。【００５９】
さらに、基本アクセスネットワークの管理を行うためのユーザインターフェース（１１３）を有する。該インターフェースによる設定はハードディスク（１１１）に格納される。
基本アクセスネットワークサーバ処理部（１１２）では３Ｇ網との通信デバイス（１１８）と、そのシグナリング通信を行う通信処理部（１１９）が配設されて、モバイル端末（２０）と通信が可能である。【００６０】
アクセスネットワークを用いて無線通信端末と通信可能であって、無線通信端末に送信されるデータストリームパケットを中継するパケット中継処理部として、モバイルＩＰエージェント（１１４）を備える。これによりモバイルＰＣ（１３０）がＩＰベースで連続したシームレス通信を行うことができる。【００６１】
図７に示すようにモバイル端末（１２０）には、基本アクセスネットワークシグナリング処理部（１２１）と、デバイス制御部（１２２）とを備える。基本アクセスネットワークシグナリング処理部（１２１）には、ネットワークサーバ（１１０）の基本アクセスネットワークサーバ処理部（１１２）との通信を行うサーバ通信処理部（２１１）と、モバイルＰＣ（１３０）とのＰＡＮ通信を行うモバイルＰＣ通信処理部（２１２）とを備える。これらはコントロール部（２１３）により相互に連携動作する。【００６２】
デバイス制御部（１２２）には通信デバイス（２２１）と端末の位置を取得するためのセンサ（２２２）を備えている。そして、通信デバイス（２２１）では例えば３Ｇによる携帯電話の利用を実現する。センサ（２２２）としては加速度及び方位センサ、ＧＰＳ受信機等を備えて、ユーザの位置・向きなどを取得する。
さらに、モバイル端末（１２０）にはウェブの閲覧のためのウェブクライアント（１２３）を備えて、端末自体でのウェブ閲覧が可能である。【００６３】
図８に示すように、モバイルＰＣ（１３０）にはモバイル端末（１２０）の基本アクセスネットワークシグナリング処理部（１２１）と通信を行うＰＡＮ通信処理部（１３１）を設けている。本ＰＡＮ通信処理部（１３１）により、モバイル端末（１２０）のモバイルＰＣ通信処理部（２１２）との間でＰＡＮを形成し、シグナリング情報を通信できるようにしている。また、モバイルＩＰ処理部（１３２）は、ネットワークサーバのモバイルＩＰエージェント（１１４）と接続する。
また、無線ＬＡＮを利用する場合にはアクセスポイントのＳＳＩＤを一定周期でスキャンし、利用可能なアクセスポイントを把握すると共に、モバイル端末（１２０）にＰＡＮを通して通知するようにしている。
さらに、複数の無線通信ネットワークを含むアクセスネットワークと接続するための物理層を構成する通信デバイス（１３３）が設けられている。【００６４】
以上の無線通信システムにおいて、図５に示すように位置情報サーバ（１５０）を配設する。位置情報サーバ（１５０）は基本アクセスネットワークを用いて基本アクセスネットワークサーバ処理部（１１２）と通信する。図６に示す位置情報プラットフォーム（１１７）はこの通信経路である。【００６５】
該プラットフォーム（１１７）には、無線通信システム環境の複数の場所に埋め込まれたセンサやモバイル端末（１２０）のＧＰＳ受信機やセンサなどの情報により、位置情報サーバ（１５０）において、近隣のデバイスやユーザの位置の情報を管理する。
ネットワークサーバ（１１０）は、モバイル端末（１２０）のネットワーク間ハンドオーバや、ユーザの近隣端末への認証、モバイル端末（１２０）からのセッションハンドオーバをサポートする。【００６６】
このように、位置情報サーバ（１５０）とモバイル端末（１２０）がネットワークサーバ（１１０）を介して連携することで、ユーザの位置や状況に応じたネットワーク間ハンドオーバ、近隣端末発見、認証、更に端末間のハンドオーバが可能となる。
図９には位置情報サーバシステムの全体構成図を示す。図のように基本アクセスネットワークを用いた位置情報プラットフォーム（１１７）に本サーバ（１５０）が接続され、サーバには位置情報選択処理部（１５１）、センサ情報統合処理部（１５２）、位置情報提供部（１５３）が設けられる。【００６７】
さらに該サーバ（１５０）には記憶手段に優先度データベース（１５４）と端末情報データベース（１５５）が格納されている。
そして、位置情報プラットフォーム上には、多数のセンサ手段が設置されている。すなわち、電波を用いてユーザのタグを検知すると検知情報を出力するＲＦタグ受信機（５１１）、無線ＬＡＮアクセスポイントのＳＳＩＤから端末の位置を検出できることを利用した無線ＬＡＮアクセスポイント（５１２）、超音波の反射の変化によって人等を検知する超音波センサ（５１３）、体重を感知することで位置を特定する床センサ（５１４）などである。【００６８】
さらに、位置情報プラットフォーム（１１７）は基本アクセスネットワークであるからモバイル端末（１２０）と通信が可能であり、モバイル端末（１２０）に備えられたＧＰＳ受信機（５１５）、方角センサ（５１６）、加速度センサ（５１７）からの測定情報も利用することができる。【００６９】
このように無線通信端末で取得された情報をＰＡＮを通してモバイル端末（１２０）に伝達し、該情報やモバイル端末の各センサから取得した位置情報は、位置情報プラットフォーム（１１７）を経由して位置情報サーバ（１５０）に転送される。位置情報サーバ（１５０）で位置を算出して、再びネットワークサーバ（１１０）、基本アクセスネットワークを通し、モバイル端末（１２０）に伝達される。同様に、後述する近隣端末に係る情報も位置情報サーバ（１５０）からモバイル端末（１２０）に返送される。【００７０】
各情報は次のように用いられる。
例えばＲＦタグと無線ＬＡＮによる位置検知の場合、ＲＦタグのセンサ精度が高いときには、予め優先度データベース（１５４）にＲＦタグの優先順位を高くデータを記録しておく。これにより位置情報選択処理部は、両者の情報を取得したときに、ＲＦタグの情報を位置情報として端末情報データベース（１５５）に記録する。【００７１】
また、床センサや超音波センサでは検知位置は極めて正確であるものの、いずれの端末かが識別できない。そこでセンサ情報統合処理部（１５２）が、同時にその部屋の端末情報を別のセンサ、例えばＲＦタグ等により取得して情報を統合することにより、当該端末の正確な位置を判定することができる。このようにして位置情報サーバ（１５０）は常時各端末の位置情報を端末情報データベース（１５５）に蓄積し、ネットワークサーバ（１５０）からの照会を待機する。照会時には位置情報提供部（１５３）が位置情報プラットフォーム（１１７）を介して情報を送信する。【００７２】
モバイル端末（１２０）からは方位や加速度、利用中の無線ＬＡＮアクセスポイントのＳＳＩＤなどが送信される。基本アクセスネットワークによりネットワークサーバ（１１０）がこれを受信すると、ＵＤＰにて位置情報サーバ（１５０）に対してユーザ識別番号やセンサ情報が通知される。【００７３】
以上に説明したような通信システムにおいて、本発明の端末状態管理サーバ（１０）を位置情報サーバ（１５０）内に設置し、通信端末（３）の構成をモバイル端末（１２０）内に設置することにより、本発明を実現することができる。
すなわち、位置情報を基本アクセスネットワークを通して取得し、コンテンツのデータ情報を得る際には、モバイル端末（１２０）の他、モバイルＰＣ（１３０）を活用することもできる。
上記通信システムでは、位置情報プラットフォーム（１１７）を用いることで、より高機能な位置情報の取得が可能であり、特に複数のセンサ手段の中からいずれの情報を選択するか、各選択処理部（１５１）〜（１５３）が作用する。
【図１】
2007007385.tif 000003
【図２】
2007007385.tif 000004
【図３】
2007007385.tif 000005
【図４】
2007007385.tif 000006
【図５】
2007007385.tif 000007
【図６】
2007007385.tif 000008
【図７】
2007007385.tif 000009
【図８】
2007007385.tif 000010
【図９】
2007007385.tif 000011
【国際調査報告】
2007007385.tif 000012
2007007385.tif 000013
2007007385.tif 000014
2007007385.tif 000015